(57)【要約】【課題】電話回線を用いて遠隔から制御することによって、作業員が設置現場に出向くことなく、かつ安価に保護継電装置を監視すること。【解決手段】本発明は、発電部３ａと制御部３ｂとを備えた発電装置３を備え、かつ遮断器２を介して交流電力系統１と連系される発電設備の保護継電装置４を監視する方法であって、発電装置３の異常発生時の電気量データ及び保護継電装置４の内部設定値をデータ記憶部６に記憶させ、発電装置３の異常発生時の運転データ及び発電部３ａに対する設定値を制御部３ｂに記憶させ、電話回線２０を介して保護継電装置４及び制御部３ｂとデータ授受可能なように接続されたパソコン２４によって、データ記憶部６に記憶された電気量データの取得及び内部設定値の更新を行うと共に、制御部３ｂに記憶された運転データの取得及び設定値の更新を行う。【選択図】  図１
2004282834.tif 000002
【特許請求の範囲】
【請求項１】
発電装置を備え、かつ遮断器を介して交流電力系統と連系される発電設備の保護継電装置を監視する方法であって、
前記発電装置の異常発生時の電気量データを、前記保護継電装置に設けられた記憶媒体に記憶しておき、
通信ネットワークを介して前記保護継電装置とデータ授受可能なように接続された通信装置によって前記記憶媒体に記憶された電気量データを取得するようにした保護継電装置の監視方法。
【請求項２】
発電装置を備え、かつ遮断器を介して交流電力系統と連系される発電設備の保護継電装置を監視する方法であって、
前記保護継電装置の内部設定値を、前記保護継電装置に設けられた記憶媒体に記憶しておき、
通信ネットワークを介して前記保護継電装置とデータ授受可能なように接続された通信装置によって前記記憶媒体に記憶された内部設定値を更新するようにした保護継電装置の監視方法。
【請求項３】
発電装置を備え、かつ遮断器を介して交流電力系統と連系される発電設備の保護継電装置を監視する方法であって、
前記発電装置の異常発生時の電気量データ、および前記保護継電装置の内部設定値を、前記保護継電装置に設けられた記憶媒体に記憶しておき、
通信ネットワークを介して前記保護継電装置とデータ授受可能なように接続された通信装置によって前記記憶媒体に記憶された電気量データの取得、および前記内部設定値の更新を行うようにした保護継電装置の監視方法。
【請求項４】
発電部と前記発電部を制御する制御部とを備えた発電装置を備え、かつ遮断器を介して交流電力系統と連系される発電設備の保護継電装置を監視する方法であって、
前記発電装置の異常発生時の電気量データ、および前記保護継電装置の内部設定値を、前記保護継電装置に設けられた第１の記憶媒体に記憶させ、
前記発電装置の異常発生時の運転データ、および前記発電部に対する設定値を、前記制御部に設けられた第２の記憶媒体に記憶させ、
通信ネットワークを介して前記保護継電装置および前記制御部とデータ授受可能なように接続された通信装置によって、前記第１の記憶媒体に記憶された電気量データの取得および内部設定値の更新を行うとともに、前記第２の記憶媒体に記憶された運転データの取得および設定値の更新を行うようにした保護継電装置の監視方法。
【発明の詳細な説明】
【０００１】
【発明の属する技術分野】
本発明は、保護継電装置の監視方法に係り、更に詳しくは、電力系統から検出された電気量を用いて電力系統の異常を判定する保護継電装置を遠隔から監視することに適した監視方法に関する。
【０００２】
【従来の技術】
従来、デジタル式の保護継電装置が動作した際に、動作時の電気量データを保護継電装置内に記憶している場合、この電気量データを取りこむためには、作業員が設置現場に出向き、パソコンなどのデータ読み込み装置を使用して取り込む必要がある。
【０００３】
図５に、この種の従来から用いられているデジタル式の保護継電装置を設置する場合の一般的な構成を示す。
【０００４】
図５において、８は自家発設置需要家で、配電線１と発電装置３から電力の供給を受け、遮断器１０を介して負荷１１で電力を消費する。発電装置３は発電を行う主回路部である発電部３ａとこれを制御する制御部３ｂからなっている。制御部３ｂには、異常時の運転データと、発電部３ａを制御するための設定値とが保持されている。
【０００５】
保護継電装置４はリレー判定部５とデータ記憶部６とを備え、リレー判定部５の検出信号に基づいてトリップ信号を出力し、遮断器２を解放するようになっている。
【０００６】
保護継電装置４において異常が発生したことを検出するためには、リレー判定部５が発電装置３の電気量に基づき異常を検出することによって行う。そして、データ記憶部６はトリップ信号を出力した場合の電気量データを記憶する。この電気量データは保護継電装置４にパソコン７を接続することにより読み込むことができる。このようにして保護継電装置４の監視がなされている。
【０００７】
保護継電装置４の監視に関する発明としては、例えば以下に示す特許文献１や特許文献２がある。
【０００８】
【特許文献１】
特開２０００−１８４５７４号公報
【０００９】
【特許文献２】
特開２００１−３３３５４９号公報
【００１０】
【発明が解決しようとする課題】
しかしながら、このような従来の保護継電装置の監視方法では、以下のような問題がある。
【００１１】
すなわち、データ記憶部６に記憶された電気量データを読み込むためには、作業員が設置現場に出向きパソコン７を接続し、データ読み込み作業を行わなければならない。
【００１２】
また、監視結果に応じて保護継電装置４の内部設定値を変更する際にもまた、作業員が設置現場に出向いて設定値の変更作業を行わねばならない。
【００１３】
このように、遠隔地に設置されたデジタル式の保護継電装置４のデータ記憶部６に記憶された電気量データの取り込みや、保護継電装置４の調整時における内部設定値の変更のために作業員が現場に出向かねばならず、作業員に多くの手間をかけてしまうという問題がある。
【００１４】
本発明はこのような事情に鑑みてなされたものであり、電話回線を用いて遠隔から制御することによって、作業員が設置現場に出向くことなく、かつ安価に保護継電装置を監視することが可能な監視方法を提供することを目的とする。
【００１５】
【課題を解決するための手段】
上記の目的を達成するために、本発明では、以下のような手段を講じる。
【００１６】
すなわち、請求項１の発明は、発電装置を備え、かつ遮断器を介して交流電力系統と連系される発電設備の保護継電装置を監視する方法であって、発電装置の異常発生時の電気量データを、保護継電装置に設けられた記憶媒体に記憶しておき、通信ネットワークを介して保護継電装置とデータ授受可能なように接続された通信装置によって記憶媒体に記憶された電気量データを取得するようにする。
【００１７】
従って、請求項１の発明の保護継電装置の監視方法においては、以上のような手段を講じることにより、発電設備から離れた場所からであっても電気量データを取得することができる。その結果、電気量データを読み取るために作業員が発電設備に出向く必要がなくなるので、作業員の負荷を低減することが可能となる。また、通信ネットワークとして特別な回線を用いることなく、一般に用いられている電話回線を使用することによって、安価に実現することができる。
【００１８】
請求項２の発明は、発電装置を備え、かつ遮断器を介して交流電力系統と連系される発電設備の保護継電装置を監視する方法であって、保護継電装置の内部設定値を、保護継電装置に設けられた記憶媒体に記憶しておき、通信ネットワークを介して保護継電装置とデータ授受可能なように接続された通信装置によって記憶媒体に記憶された内部設定値を更新するようにする。
【００１９】
従って、請求項２の発明の保護継電装置の監視方法においては、以上のような手段を講じることにより、発電設備から離れた場所からであっても保護継電装置の内部設定値を更新することができる。その結果、内部設定値を更新するために作業員が発電設備に出向く必要がなくなるので、作業員の負荷を低減することが可能となる。また、通信ネットワークとして特別な回線を用いることなく、一般に用いられている電話回線を使用することによって、安価に実現することができる。
【００２０】
請求項３の発明は、発電装置を備え、かつ遮断器を介して交流電力系統と連系される発電設備の保護継電装置を監視する方法であって、発電装置の異常発生時の電気量データ、および保護継電装置の内部設定値を、保護継電装置に設けられた記憶媒体に記憶しておき、通信ネットワークを介して保護継電装置とデータ授受可能なように接続された通信装置によって記憶媒体に記憶された電気量データの取得、および内部設定値の更新を行うようにする。
【００２１】
従って、請求項３の発明の保護継電装置の監視方法においては、以上のような手段を講じることにより、発電設備から離れた場所からであっても電気量データを取得するとともに、保護継電装置の内部設定値を更新することができる。その結果、電気量データの読み取りのため、あるいは内部設定値の更新のために作業員が発電設備に出向く必要がなくなるので、作業員の負荷を低減することが可能となる。また、通信ネットワークとして特別な回線を用いることなく、一般に用いられている電話回線を使用することによって、安価に実現することができる。
【００２２】
請求項４の発明は、発電部と発電部を制御する制御部とを備えた発電装置を備え、かつ遮断器を介して交流電力系統と連系される発電設備の保護継電装置を監視する方法であって、発電装置の異常発生時の電気量データ、および保護継電装置の内部設定値を、保護継電装置に設けられた第１の記憶媒体に記憶させ、発電装置の異常発生時の運転データ、および発電部に対する設定値を、制御部に設けられた第２の記憶媒体に記憶させ、通信ネットワークを介して保護継電装置および制御部とデータ授受可能なように接続された通信装置によって、第１の記憶媒体に記憶された電気量データの取得および内部設定値の更新を行うとともに、第２の記憶媒体に記憶された運転データの取得および設定値の更新を行うようにする。
【００２３】
従って、請求項４の発明の保護継電装置の監視方法においては、以上のような手段を講じることにより、発電設備から離れた場所からであっても電気量データや運転データを取得するとともに、諸設定値を更新することができる。その結果、電気量データや運転データの読み取りのため、あるいは設定値の更新のために作業員が発電設備に出向く必要がなくなるので、作業員の負荷を低減することが可能となる。また、通信ネットワークとして特別な回線を用いることなく、一般に用いられている電話回線を使用することによって、安価に実現することができる。
【００２４】
【発明の実施の形態】
以下に、本発明の各実施の形態について図面を参照しながら説明する。
【００２５】
なお、以下の各実施の形態の説明に用いる図中の符号は、図５と同一部分については同一符号を付してその説明を省略し，ここでは異なる部分についてのみ述べる。
【００２６】
（第１の実施の形態）
本発明の第１の実施の形態を図１から図３を用いて説明する。
【００２７】
図１は、第１の実施の形態に係る保護継電装置の監視方法を適用した監視システムの適用例を示す図である。
【００２８】
すなわち、本実施の形態に係る保護継電装置の監視方法を適用した監視システム２５は、保護継電装置４のデータ記憶部６に接続された通信端末装置２３と、通信端末装置２３に接続されたモデム２２と、モデム２２に電話回線２０を介して接続されたモデム２１と、モデム２１に接続されたパソコン２４から構成してなる。通信端末装置２３とモデム２２とは自家発設備需要家８に設けている。また、パソコン２４とモデム２１とは自家発設備需要家８から遠隔した場所に設けている。
【００２９】
パソコン２４は通信ソフトウェアを備えており、この通信ソフトウェアに必要な操作入力を与えることによって、モデム２１を動作させ、自家発設置需要家８側に設けられたモデム２２と通信可能な状態にする。
【００３０】
この状態で、パソコン２４から、通信ソフトウェアに必要な操作入力を与えることによって、この操作入力をモデム２１から電話回線２０を介してモデム２２に送信する。モデム２２は、この送信された操作入力に応じて通信端末装置２３を操作する。
【００３１】
データ記憶部６に記憶されている電気量データを取得する場合には、パソコン２４から、データ記憶部６に記憶されている電気量データを取得するための操作入力を行う。この操作入力が通信端末装置２３へ送信されると、通信端末装置２３はこの操作入力に応じてデータ記憶部６から電気量データを取得し、モデム２２に出力する。
【００３２】
モデム２２は、通信端末装置２３から電気量データが出力されると、この電気量データをアナログ信号に変調し、このアナログ信号を電話回線２０を介してモデム２１に送信する。
【００３３】
モデム２１は、電話回線２０を介してモデム２２から送信されたアナログ信号を受信する。そして、受信したアナログ信号をデジタル信号に復調し、この復調されたデジタル信号をパソコン２４に出力する。
【００３４】
パソコン２４は、モデム２１から出力されたデジタル信号を取得し、表示画面から表示したり、ハードディスク等の記憶媒体に記憶する。これによって、データ記憶部６に記憶されている電気量データをパソコン２４側で取得する。
【００３５】
一方、保護継電装置４の内部設定値を変更する場合には、パソコン２４から、データ記憶部６に記憶されている内部設定値を読み出すための操作入力を行う。この操作入力が通信端末装置２３へ送信されると、通信端末装置２３はこの操作入力に応じてデータ記憶部６から内部設定値を読み出し、読み出された内部設定値をモデム２２に出力する。
【００３６】
モデム２２は、通信端末装置２３から内部設定値が出力されると、この内部設定値をアナログ信号に変調し、このアナログ信号を電話回線２０を介してモデム２１に送信する。
【００３７】
モデム２１は、モデム２２から電話回線２０を介して送信されたアナログ信号を受信する。そして、受信したアナログ信号をデジタル信号に復調し、この復調されたデジタル信号をパソコン２４に出力する。パソコン２４は、モデム２１から出力されたデジタル信号を取得し、表示画面から表示する。これによって、保護継電装置４の内部設定値をパソコン２４側で取得する。
【００３８】
内部設定値を変更する場合には、パソコン２４から新たな内部設定値を入力し、モデム２１に出力する。モデム２１は、パソコン２４から内部設定値が出力されると、この内部設定値をアナログ信号に変調し、電話回線２０を介してモデム２２に送信する。
【００３９】
モデム２２は、モデム２１から電話回線２０を介して送信されたアナログ信号を受信する。そして、受信したアナログ信号をデジタル信号に復調し、この復調されたデジタル信号を通信端末装置２３に出力する。通信端末装置２３は、この内部設定値のデジタル信号に応じてデータ記憶部６に、新たな内部設定値を書き込むことによって内部設定値の更新を完了する。
【００４０】
次に、以上のように構成した本実施の形態に係る保護継電装置の監視方法を適用した監視システムの動作について説明する。
【００４１】
先ず、図２に示すフローチャートを用いて、保護継電装置４のデータ記憶部６から電気量データを取得する場合の動作について説明する。
【００４２】
この場合、作業員がパソコン２４から、データ記憶部６に記憶されている電気量データを取得するための操作入力を入力する（Ｓ１）と、この操作入力は、モデム２１から電話回線２０を介してモデム２２へと送信される。そして、この送信された操作入力に応じて、モデム２２によってこの通信端末装置２３が操作され、通信端末装置２３によって、データ記憶部６から電気量データが取得される（Ｓ２）。
【００４３】
この電気量データは、通信端末装置２３から更にモデム２２へと出力される。通信端末装置２３から電気量データが出力されると、モデム２２によって電気量データは、アナログ信号に変調され（Ｓ３）た後に電話回線２０を介してモデム２１へと送信される（Ｓ４）。
【００４４】
ステップＳ４で送信されたアナログ信号は、モデム２１によって受信され、モデム２１によってデジタル信号に復調され（Ｓ５）、その後パソコン２４によって取得される（Ｓ６）。
【００４５】
パソコン２４では、モデム２１から出力されたデジタル信号が表示画面から表示されたり、ハードディスク等の記憶媒体に記憶される。これによって、作業員は、わざわざ自家発設置需要家８まで出向くことなくても、監視システム２５のパソコン２４によってデータ記憶部６に記憶されていた電気量データを取得することができる。
【００４６】
次に、図３に示すフローチャートを用いて、保護継電装置４の内部設定値を変更する場合の動作について説明する。
【００４７】
この場合、作業員がパソコン２４から、データ記憶部６に記憶されている内部設定値を読み出すための操作入力を入力する（Ｓ１１）と、この操作入力は、パソコン２４からモデム２１へと出力され、更にモデム２１から電話回線２０を介してモデム２２へと送信され、更にモデム２２から通信端末装置２３へと出力される。このように通信端末装置２３へ出力されると、この操作入力に応じて通信端末装置２３によってデータ記憶部６から内部設定値が読み出される（Ｓ１２）。
【００４８】
このようにして通信端末装置２３に読み出された内部設定値は、通信端末装置２３からモデム２２へと出力される。通信端末装置２３からモデム２２へと内部設定値が出力されると、モデム２２によってこの内部設定値がアナログ信号へと変調され（Ｓ１３）た後に、電話回線２０を介してモデム２１へと送信される（Ｓ１４）。
【００４９】
ステップＳ１４において送信されたアナログ信号は、モデム２１によって受信され、デジタル信号に復調され（Ｓ１５）、その後パソコン２４によって取得される（Ｓ１６）。そして、パソコン２４は、モデム２１から出力されたデジタル信号が表示画面から表示されることによって、作業員によって内部設定値が確認される（Ｓ１７）。
【００５０】
内部設定値を変更する場合（Ｓ１８：Ｙｅｓ）には、パソコン２４から、変更する内部設定値を入力する（Ｓ１９）と、この入力された内部設定値は、パソコン２４からモデム２１へと出力され、モデム２１によってアナログ信号に変調された後に、電話回線２０を介してモデム２２へ送信される。そして、モデム２２においてデジタル信号に復調され、通信端末装置２３へと出力される（Ｓ２０）。そして、通信端末装置２３によって、データ記憶部６に新たな設定値が書き込まれる。これによって内部設定値が更新される（Ｓ２１）。
【００５１】
一方、内部設定値を変更しない場合（Ｓ１８：Ｎｏ）には、処理を終了する。
【００５２】
上述したように、本実施の形態に係る保護継電装置の監視方法を適用した監視システムにおいては、上記のような作用により、電話回線２２を用いることによって、データ記憶部６に記憶されている電気量データや内部設定値の読み取り、および内部設定値の更新を、遠隔場所から行うことができる。その結果、作業員が設置現場に出向く必要がなくなるので、作業員の負荷を低減することが可能となる。
【００５３】
また、本実施の形態に係る保護継電装置の監視方法を適用した監視システムは、需要家が通信ネットワークを持たない場合でも，電話回線２０を設置するだけで通信できるので，設置・維持するための費用が安価である。
【００５４】
（第２の実施の形態）
本発明の第２の実施の形態を図４を用いて説明する。
【００５５】
図４は、第２の実施の形態に係る保護継電装置の監視方法を適用した監視システムの適用例を示す図である。
【００５６】
すなわち、本実施の形態に係る保護継電装置の監視方法を適用した監視システム２６は、第１の実施の形態に係る保護継電装置の監視方法を適用した監視システム２５の変形例であって、通信端末装置２３が、保護継電装置４のデータ記憶部６に加えて、発電装置３の制御部３ｂにもデータ授受可能なように接続している点のみが異なっている。
【００５７】
このような構成とすることによって、パソコン２４は、第１の実施の形態で説明したような保護継電装置４とのデータ授受のみならず、発電装置３とのデータ授受をも可能としている。
【００５８】
本実施の形態に係る保護継電装置の監視方法を適用した監視システム２６を動作させる場合には、まずパソコン２４から通信ソフトウェアに必要な操作入力を与えることによってモデム２１を動作させ、自家発設置需要家８側に設けられたモデム２２と通信可能な状態とさせる。
【００５９】
更にこの状態で、パソコン２４から、必要な操作入力を通信ソフトウェアに与えることによって、この操作入力をモデム２１から電話回線２０を介してモデム２２に送信する。モデム２２は、この送信された操作入力に応じて通信端末装置２３を操作する。
【００６０】
たとえば、データ記憶部６に記憶された電気量データを取得する操作入力を入力することによって、第１の実施の形態で説明したように、データ記憶部６に記憶された電気量データをパソコン２４によって取得し、表示画面から表示したり、ハードディスク等の記憶媒体に記憶する。
【００６１】
同様に、制御部３ｂに記憶された異常時の運転データを取得する操作入力を入力することによって、データ記憶部６から電気量データを取得するのと同様な動作によりパソコン２４によって取得し、表示画面から表示したり、ハードディスク等の記憶媒体に記憶する。
【００６２】
また、データ記憶部６に設定された内部設定値を取得する操作入力を入力することによって、第１の実施の形態で説明したように、データ記憶部６に設定された内部設定値をパソコン２４によって取得し、その値を確認する。そして、内部設定値を更新する場合には、第１の実施の形態で説明したように、パソコン２４から新たな内部設定値を入力し、更に通信端末装置２３によってデータ記憶部６に新たな内部設定値を書き込むことによって更新を完了する。
【００６３】
同様に、制御部３ｂに設定された設定値を取得する操作入力を入力することによって、制御部３ｂに設定された設定値をパソコン２４によって取得し、その値を確認する。そして、設定値を更新する場合には、パソコン２４から新たな設定値を入力し、更に通信端末装置２３によって制御部３ｂに新たな設定値を書き込むことによって設定値を更新する。
【００６４】
第２の実施の形態に係る保護継電装置の監視方法を適用した監視システム２６は、上述したような構成をしているので、第１の実施の形態で奏された作用効果に加えて、制御部３ｂに記憶されている運転データや設定値の読み取り、および設定値の更新を、遠隔場所から行うことができる。その結果、作業員が設置現場に出向く必要がなくなるので、作業員の負荷を低減することが可能となる。
【００６５】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００６６】
【発明の効果】
以上説明したように、本発明によれば、電話回線を用いて保護継電装置とパソコンを接続することによって、遠隔場所に設置されたパソコンからでも、保護継電装置の電気量データおよび内部設定値をモニタしたり、内部設定値を変更することができる。また、発電装置の運転データおよび設定値についても同様にモニタしたり、設定値を変更することができる。
【００６７】
以上により、作業員が設置現場に出向くことなく、かつ安価に保護継電装置を監視することが可能な監視方法を実現することができる。
【図面の簡単な説明】
【図１】第１の実施の形態に係る保護継電装置の監視方法を適用した監視システムの適用例を示す図。
【図２】データ記憶部から電気量データを取得する場合の動作を示すフローチャート。
【図３】保護継電装置の内部設定値を変更する場合の動作を示すフローチャート。
【図４】第２の実施の形態に係る保護継電装置の監視方法を適用した監視システムの適用例を示す図。
【図５】従来技術による保護継電装置を設置する場合の一般的な構成図。
【符号の説明】
１…配電線、２，１０…遮断器、３…発電装置、３ａ…発電部、３ｂ…制御部、４…保護継電装置４、５…リレー判定部、６…データ記憶部、７，２４…パソコン、８…自家発設置需要家、１１…負荷、２０…電話回線、２１，２２…モデム、２３…通信端末装置、２５，２６…監視システム
【図１】
2004282834.tif 000003
【図２】
2004282834.tif 000004
【図３】
2004282834.tif 000005
【図４】
2004282834.tif 000006
【図５】
2004282834.tif 000007